(57)【特許請求の範囲】
【請求項１】
筐体の開口部から出入自在に設けられて上面にディスクが載置されるトレイと、このトレイに設けられて該トレイが前記筐体内に収容されたときに前記開口部を閉塞する蓋体と、前記筐体の内部に設けられて前記ディスクを回転させるターンテーブルと、このターンテーブルの駆動源のモータと、前記ディスクの径方向に移動して該ディスクに記録された情報を読み取る光ピックアップとを少なくとも備えたディスク装置において、
前記蓋体が、前記トレイに対し別体に設けられ、且つ一面の中央部から前記筐体内に向けて一体に延設された支持部を介して前記トレイにこれの出入方向に移動可能に設けられ、
前記モータの近傍箇所に設けられて前記支持部の先端部に係合され、前記筐体内の温度が上昇したときに伸長して元の形状に復帰する際に前記支持部を押圧して前記蓋体を外方に向け移動させて前記開口部から離間させる形状記憶スプリングと、
前記支持部の下方位置に配置されて前記蓋体に対し前記開口部を閉塞する方向に常時付勢するように設けられ、前記形状記憶スプリングの伸長によって前記蓋体が前記開口部から離間した状態において前記筐体内の温度が低下したときに自体の復元力により前記形状記憶スプリングを圧縮変形させながら前記蓋体を内方に移動させて、該蓋体により前記開口部を閉塞させる引き戻し用スプリングとを備えていることを特徴とする筐体内部の冷却構造。
【請求項２】
筐体の開口部から出入自在に設けられて上面にディスクが載置されるトレイと、このトレイに設けられて該トレイが前記筐体内に収容されたときに前記開口部を閉塞する蓋体と、前記筐体の内部に設けられて前記ディスクを回転させるターンテーブルと、このターンテーブルの駆動源のモータと、前記ディスクの径方向に移動して該ディスクに記録された情報を読み取る光ピックアップとを少なくとも備えたディスク装置において、
前記蓋体が、前記トレイに対し別体で、且つ前記トレイにこれの出入方向に移動可能に設けられ、
前記モータの近傍箇所に設けられて前記筐体内の温度が上昇したときに伸長して元の形状に復帰する際に前記蓋体を押圧して外方に向け移動させることにより前記開口部から離間させる形状記憶スプリングと、
前記蓋体に対し前記開口部を閉塞する方向に常時付勢するように設けられ、前記形状記憶スプリングの伸長によって前記蓋体が前記開口部から離間した状態において前記筐体内の温度が低下したときに自体の復元力により前記形状記憶スプリングを圧縮変形させながら前記蓋体を内方に移動させて、該蓋体により前記開口部を閉塞させる引き戻し用スプリングとを備えていることを特徴とする筐体内部の冷却構造。
【請求項３】
前記蓋体が、これの内面中央部から前記筐体内に向けて一体に延設された支持部を介して前記トレイにこれの出入方向に移動可能に設けられ、
前記形状記憶スプリングが、モータの近傍箇所において前記支持部の先端部に係合した配置で設けられ、前記筐体内の温度が上昇したときに伸長して元の形状に復帰する際に前記支持部を押圧して前記蓋体を外方に向け移動させて前記開口部から離間させるように構成されている請求項２に記載の筐体内部の冷却構造。
【請求項４】
前記形状記憶スプリングは前記筐体内における前記モータに近接する中央位置に配設され、前記引き戻し用スプリングは、前記筐体内の前記形状記憶スプリングに対し同一高さ位置で、且つ左右両側の対称位置に一対配設されている請求項２又は３に記載の筐体内部の冷却構造。
【請求項５】
前記形状記憶スプリングは、前記筐体内の前記モータに対し左右両側の対称位置に一対配設されているとともに、この両形状記憶スプリングに相対向して一対の前記支持部が前記蓋体の内面から一体に突設され、
前記引き戻し用スプリングは前記形状記憶スプリングに対し同一高さ位置で、且つ両形状記憶スプリングの間の中央位置に配設されている請求項３に記載の筐体内部の冷却構造。
【発明の詳細な説明】
【技術分野】
【０００１】
本発明は、トレイの前方に蓋体が設けられている筐体内部の冷却構造に関し、特に、筐体内部の温度が上昇したときに、蓋体が筐体から離れてその隙間から外気が取り入れられて筐体内部を冷却するようにした筐体内部の冷却構造に関するものである。
【背景技術】
【０００２】
従来、光ピックアップやターンテーブル等が内蔵されたディスク装置においては、例えば、筐体内のトレイの先端に蓋体が一体に設けられていて、トレイの出し入れに伴ってこの蓋体を移動して、筐体の前面に設けられた開口部を開閉するようになっていた。
ところが、これにおいては、トレイを出したときにだけ蓋体が開かれて開口部から外気を取り入れて筐体内部を冷却することはできるが、トレイが筐体内に入り込んでいるときには蓋体は開口部を閉めていることになるために、筐体内部に外気を取り入れることができずに、筐体内部の冷却ができないという問題があった。
【０００３】
第１の従来技術を図４に示す。冷却ファン制御用アクチュエータ１２０は、一定のストロークで移動可能に保持された駆動軸１２１、この駆動軸１２１をＡ１方向に付勢するバイアスバネ１２３およびこのバイアスバネ１２３によって加圧されている形状記億合金バネ１２４を備え、形状記憶合金バネ１２４は、装置内部の雰囲気温度が所定の温度以上に昇温したときに、剛性が増加するとともに自由長が伸長するように変形する。このことにより、冷却ファン制御用アクチュエータ１２０はＰＢスイッチ１１５ａをオンして、冷却ファンモータ１１５ｂを駆動させる。（例えば、特許文献１参照）。
ところが、これにおいては、装置内部の雰囲気温度を冷却するための冷却ファンモータ１１５ｂを設けているものであった。
【０００４】
第２の従来技術を図５、図６に示す。形状記憶合金コイル２０５はブラケット２０８に固定され、移動板２０４の一端に接している。又、移動板２０４の他端とブラケット２０７の間にはバイアスバネ２０３が縮設してある。装置内昇温により形状記憶合金コイル２０５が温度上昇しバイアスバネ２０３のバネ力に抗して伸張し、移動板２０４を移動して、通風孔２０２を開ける。これにより、装置の内部昇温を抑制する。装置内が低温になると形状記憶合金コイル２０５は温度が下がって縮み、バイアスバネ２０３に押されて移動板２０３が閉る。（例えば、特許文献２参照）。
ところが、これにおいては、外装２０１に２箇所の通気孔２０２を設けているものであった。
【０００５】
第３の従来技術を図７に示す。プレーヤー本体３０２内にディスクＤをセットし、ディスクＤを回転させると共に、光ピックアップをディスクＤの径方向に移動させてディスクＤに記録されている情報を読み取るようにしたディスクプレーヤーにおいて、プレーヤー本体３０２のケーシング３０３の前壁部３０３ａに形成した換気口３０４の後部に設けられた防塵フィルター３０５と、換気口３０４の前部に開閉自在に配設された開閉蓋３０６と、通能常温度で開閉蓋３０６を閉鎖状態に保持する形状記憶部材７とを有し、形状記憶部材７は、プレーヤー本体３０２内の雰囲気温度が設定温度を超えたのを検知して弾性変形することにより前記開閉蓋３０６を開動させるように構成されている。（例えば、特許文献３参照）。
ところが、これにおいては、ディスク載置用トレー２０９が配置される別の箇所に換気口３０４を設けなくてはならなかった。
【０００６】
第４の従来技術を図８（ａ）（ｂ）に示す。筐体４０１内のディスプレイ４０６、熱源モジュール４０７が通電されて発熱することで内部の温度が上昇すると、形状記憶合金４０４に復元力が発生して通風口蓋４０３を押し下げて通風口４０２を開き、弾性体４０５を押し縮める。そして、内部温度が低下し、形状記憶合金の復元力が低下すると、押し縮められていた弾性体４０５の復元力により通風口蓋４０３を押し戻し通風口４０２を閉じる。（例えば、特許文献４参照）。
電子機器筐体４０１に通気孔４０２を設けなくてならず、しかもトレイが設けられていないものであった。
【０００７】
【特許文献１】特開平７−１４３７６号公報
【特許文献２】特開平４−２３００９７号公報
【特許文献３】特開平８−２０３２６２号公報
【特許文献４】特開平８−１０２５９１号公報
【発明の開示】
【発明が解決しようとする課題】
【０００８】
本発明は、上記した従来の問題を解消し、筐体内部の温度が上昇したときに、自動的に蓋体を筐体から外部に移動できて、その隙間から外気を取り入れることができて、常に筐体内部を外気で冷却することができ、ディスク装置の筐体ではその内部の部品による読み取りエラーや高温による故障を防ぐことができる筐体内部の冷却構造を提供することを目的としている。
【課題を解決するための手段】
【０００９】
本発明は、上記課題を解決するために提案されたものであって、請求項１に記載の発明は、筐体の開口部から出入自在に設けられて上面にディスクが載置されるトレイと、このトレイに設けられて該トレイが前記筐体内に収容されたときに前記開口部を閉塞する蓋体と、前記筐体の内部に設けられて前記ディスクを回転させるターンテーブルと、このターンテーブルの駆動源のモータと、前記ディスクの径方向に移動して該ディスクに記録された情報を読み取る光ピックアップとを少なくとも備えたディスク装置において、前記蓋体が、前記トレイに対し別体に設けられ、且つ一面の中央部から前記筐体内に向けて一体に延設された支持部を介して前記トレイにこれの出入方向に移動可能に設けられ、前記モータの近傍箇所に設けられて前記支持部の先端部に係合され、前記筐体内の温度が上昇したときに伸長して元の形状に復帰する際に前記支持部を押圧して前記蓋体を外方に向け移動させて前記開口部から離間させる形状記憶スプリングと、前記支持部の下方位置に配置されて前記蓋体に対し前記開口部を閉塞する方向に常時付勢するように設けられ、前記形状記憶スプリングの伸長によって前記蓋体が前記開口部から離間した状態において前記筐体内の温度が低下したときに自体の復元力により前記形状記憶スプリングを圧縮変形させながら前記蓋体を内方に移動させて、該蓋体により前記開口部を閉塞させる引き戻し用スプリングとを備えていることを特徴としている。
【００１０】
請求項２に記載の発明は、筐体の開口部から出入自在に設けられて上面にディスクが載置されるトレイと、このトレイに設けられて該トレイが前記筐体内に収容されたときに前記開口部を閉塞する蓋体と、前記筐体の内部に設けられて前記ディスクを回転させるターンテーブルと、このターンテーブルの駆動源のモータと、前記ディスクの径方向に移動して該ディスクに記録された情報を読み取る光ピックアップとを少なくとも備えたディスク装置において、前記蓋体が、前記トレイに対し別体で、且つ前記トレイにこれの出入方向に移動可能に設けられ、前記モータの近傍箇所に設けられて前記筐体内の温度が上昇したときに伸長して元の形状に復帰する際に前記蓋体を押圧して外方に向け移動させることにより前記開口部から離間させる形状記憶スプリングと、前記蓋体に対し前記開口部を閉塞する方向に常時付勢するように設けられ、前記形状記憶スプリングの伸長によって前記蓋体が前記開口部から離間した状態において前記筐体内の温度が低下したときに自体の復元力により前記形状記憶スプリングを圧縮変形させながら前記蓋体を内方に移動させて、該蓋体により前記開口部を閉塞させる引き戻し用スプリングとを備えていることを特徴としている。
【００１１】
請求項３に記載の発明は、前記蓋体が、これの内面中央部から前記筐体内に向けて一体に延設された支持部を介して前記トレイにこれの出入方向に移動可能に設けられ、前記形状記憶スプリングが、モータの近傍箇所において前記支持部の先端部に係合した配置で設けられ、前記筐体内の温度が上昇したときに伸長して元の形状に復帰する際に前記支持部を押圧して前記蓋体を外方に向け移動させて前記開口部から離間させるように構成されている。
【発明の効果】
【００１２】
請求項４に記載の発明は、前記形状記憶スプリングが前記筐体内における前記モータに近接する中央位置に配設され、前記引き戻し用スプリングが、前記筐体内の前記形状記憶スプリングに対し同一高さ位置で、且つ左右両側の対称位置に一対配設されている。
【００１３】
請求項５に記載の発明は、前記形状記憶スプリングが、前記筐体内の前記モータに対し左右両側の対称位置に一対配設されているとともに、この両形状記憶スプリングに相対向して一対の前記支持部が前記蓋体の内面から一体に突設され、前記引き戻し用スプリングが前記形状記憶スプリングに対し同一高さ位置で、且つ両形状記憶スプリングの間の中央位置に配設されている。
【００１４】
請求項１に記載の発明によれば、筐体におけるトレイが出入りする開口部を開閉する蓋体は、トレイにこれの出入方向に移動可能に設けられて、通常時に引き戻し用スプリングの付勢力により筐体の開口部を閉塞して、既存のトレイに固定的に設けられている蓋体と同様に筐体内部を防塵する機能を果たす。一方、ディスク装置の使用時において筐体内の温度が上昇したときに、ディスク装置の主たる発熱源であるモータの近傍箇所に設けられた形状記憶スプリングが、上昇した温度を確実に感知して伸長しながら元の形状に復帰する際に、支持部を押圧しながら蓋体を外方に向け移動させて開口部から離間させる。これにより、蓋体と開口部との間に生じた隙間から筐体内に流入する外気が筐体内部の部品を冷却するので、光ピックアップによる読み取りエラーや高温に起因する故障の発生を未然に防止できる。特に、この構成では、トレイに設けられている既存の蓋体をトレイとは別体に、且つ移動可能に設けて、その蓋体を記憶形状スプリングと引き戻し用スプリングとにより好適なタイミングで所要の方向に自動的に移動させる合理的で簡単な構成とした。
【００１５】
請求項２に記載の発明によれば、筐体におけるトレイが出入りする開口部を開閉する蓋体は、トレイにこれの出入方向に移動可能に設けられて、通常時に引き戻し用スプリングの付勢力により筐体の開口部を閉塞して、既存のトレイに固定的に設けられている蓋体と同様に、筐体内部を防塵する機能を果たす。一方、ディスク装置の使用時において筐体内の温度が上昇したときに、ディスク装置の主たる発熱源であるモータの近傍箇所に設けられている形状記憶合金が、その上昇した温度を確実に感知して伸長しながら元の形状に復帰し、その復帰する際に蓋体を外方へ押し出して開口部から離間させる。これにより、蓋体と開口部との間に生じた隙間から筐体内に流入する外気が筐体内部の部品を冷却するので、光ピックアップによる読み取りエラーや高温に起因する故障の発生を未然に防止できる。特に、この構成では、トレイに設けられている既存の蓋体をトレイとは別体に、且つ移動可能に設けて、その蓋体を記憶形状スプリングと引き戻し用スプリングとにより好適なタイミングで所要の方向に自動的に移動させる合理的でありながら簡単な構成とした。
【００１６】
請求項３に記載の発明によれば、蓋体をこれに一体に延設された支持部を介してトレイに移動可能に設けたので、蓋体を、トレイに対しこれの出入方向にスムーズに移動させて開口部に対し確実に接離させることができる。また、形状記憶スプリングが支持部の先端に係合する配置で設けられていることにより、長さの短い形状記憶スプリングを用いながらも、この形状記憶スプリングが伸長する際に支持部を介して蓋体を確実に開口部から離間させることができ、構成の小型化ができる。
【００１７】
請求項４に記載の発明によれば、引き戻し用スプリングは、筐体内の中央位置に配設された形状記憶スプリングに対し左右両側の対称位置に一対配設されているので、蓋体を均等な押圧力で加圧して傾くことのない安定した姿勢で開口部に向けスムーズに移動させることができる。また、引き戻し用スプリングは、形状記憶スプリングに対し同一高さ位置に配設されているので、筐体内部の省スペース化を図って小型化を達成できる。
【００１８】
請求項５に記載の発明によれば、形状記憶スプリングをモータに対し左右両側の対称位置に一対配設し、且つ一対の形状記憶スプリングに相対向して一対の支持部を蓋体に一体に突設した構成としたので、蓋体を均等な押圧力で加圧して傾くことのない安定した姿勢で開口部から離間方向に向けスムーズに移動させることができる。また、引き戻し用スプリングは、形状記憶スプリングに対し同一高さ位置に配設されているので、筐体内部の省スペース化を図って小型化を達成できる。
【発明を実施するための最良の形態】
【００１９】
以下、本発明に係る筐体内部の冷却構造の実施の形態について、図を参照しつつ説明する。
図１は本発明の第１実施形態の筐体内部の冷却構造を示し、（ａ）はその蓋体が閉まっている状態の側面断面図、（ｂ）はその蓋体が開いた状態の側面断面図、（ｃ）はその蓋体が開いた状態の平面図である。
【００２０】
第１実施形態の筐体内部の冷却構造は、図１（ａ）（ｂ）（ｃ）に示すように、ディスク装置１の筐体２の内部に出し入れ可能にトレイ３が配設され、筐体２のほぼ中央位置にトレイ３の上面にセットされるディスク４を回転させるためのターンテーブル５が配置され、このターンテーブル５の下側にはターンテーブル５を回転するモータ６が配置され、ターンテーブルの横側にディスク４を読み取る光ピックアップ７が水平方向に移動可能に配設されている。
【００２１】
筐体２の前面には開口部２ａが形成され、この開口部２ａを開閉する蓋体８が設けられていて、この蓋体８と筐体２の内部との間に、筐体２内の温度が上昇した際に長くなって元の形に戻る形状記憶スプリング９が蓋体８の内面側のほぼ中央箇所から筐体２内に向けて延設された支持部８ａの先端側に配設されている。
更に、蓋体８を閉める方向に引き戻すための引き戻し用スプリング１０が形状記憶スプリング９の下側位置に配設されている。
そして、筐体２内の温度が上昇したときに形状記憶スプリング９が長く伸びて蓋体８が筐体２から外側に離れ、その隙間１１から取り入れられる外気によって筐体２内が冷却される。また、筐体２内の温度が下降したときに引き戻し用スプリング１０の復帰力によって蓋体８が筐体２側に向けて移動して閉めた状態になるようにしている。
【００２２】
したがって、この第１実施形態によれば、ディスク装置１の筐体２内部の温度が上昇したときに、形状記憶スプリング９が長く延びて自動的に蓋体８を筐体２から外部に移動できて、その隙間１１から外気を取り入れることができて、常に筐体２内部を外気で冷却することができ、ディスク装置１の筐体２の内部の電気部品による読み取りエラーや高温による故障を防ぐことができる。
【００２３】
図２は第２実施形態の筐体内部の冷却構造を示す平面図である。尚、上記した第１実施形態における同一部材、同一箇所には同一符号を記してその説明を省略する。
この第２実施形態の筐体内部の冷却構造は、図２に示すように、形状記憶スプリング９は筐体２内のほぼ中央位置に配設され、引き戻し用スプリング１０は筐体２内の左右両側に一対配設されている。
したがって、この第２実施形態によれば、筐体２内の上下方向同一水平箇所に形状記憶スプリング９と引き戻し用スプリング１０を配設することができて、筐体２内部の省スペース化を図ることができる。しかも、左右一対の引き戻し用スプリング１０の復帰力で蓋体８を傾くことなく均一に閉める方向に移動することができる。
【００２４】
図３は第３実施形態の筐体内部の冷却構造を示す平面図である。尚、上記した第１実施形態における同一部材、同一箇所には同一符号を記してその説明を省略する。
この第３実施形態の筐体内部の冷却構造は、図３に示すように、形状記憶スプリング９は、筐体２内の左右両側に一対配設され、引き戻し用スプリング１０は筐体２内のほぼ中央位置に配設されている。
【００２５】
したがって、この第３実施形態によれば、筐体２内の上下方向同一水平箇所に形状記憶スプリング９と引き戻し用スプリング１０を配設することができて、筐体２内部の省スペース化を図ることができる。しかも、筐体２内部の温度が上昇した際に、左右一対の形状記憶スプリング９によって、蓋体８を傾くことなく均一に開く方向に移動することができる。
尚、上記各実施形態では、ディスク装置の筐体内部の冷却構造について、説明したが、ディスク装置に限らず、他の電気機器の筐体内部の冷却構造にも適用できることは勿論である。
【図面の簡単な説明】
【００２６】
【図１】第１実施形態の筐体内部の冷却構造を示し、（ａ）はその蓋体が閉まっている状態の側面断面図、（ｂ）はその蓋体が開いた状態の側面断面図、（ｃ）はその蓋体が開いた状態の平面図である。
【図２】第２実施形態の筐体内部の冷却構造を示す平面図である。
【図３】第３実施形態の筐体内部の冷却構造を示す平面図である。
【図４】従来の光ディスクドライブ装置を示す構成図である。
【図５】従来の放熱用通風孔開閉装置における内部温度が低い場合の状態を示す部分断面図である。
【図６】同装置における内部温度が高い場合の状態を示す部分断面図である。
【図７】従来の放熱装置を設けたディスクプレーヤーの縦断面図である。
【図８】従来の電子機器を示し、（ａ）はその筐体内部の温度が上昇したときの状態を示す断面図、（ｂ）はその筐体内部の温度が下降したときの状態を示す断面図である。
【符号の説明】
【００２７】
１        ディスク装置
２        筐体
２ａ      開口部
３        トレイ
４        ディスク
５        ターンテーブル
６        モータ
７        光ピックアップ
８        蓋体
８ａ      支持部
９        形状記憶スプリング
１０      引き戻し用スプリング
【図１】
0003968716.tif 000002
【図２】
0003968716.tif 000003
【図３】
0003968716.tif 000004
【図４】
0003968716.tif 000005
【図５】
0003968716.tif 000006
【図６】
0003968716.tif 000007
【図７】
0003968716.tif 000008
【図８】
0003968716.tif 000009